(57)【要約】【課題】  小売店舗の営業時間中であっても商品の価格の変更を柔軟に行うことができるようにする。【解決手段】  書込端末１０３の入力部３０に入力された価格変更情報等の情報を、印字部３３がプライスカード１０２の表面に印字し、書き込み部３２がプライスカード１０２に付随するＲＦＩＤタグ等の記憶手段に記憶させる。また、書込端末１０３の無線ＬＡＮ通信部３４は、入力部３０に入力された情報を、通信ネットワーク１０５を介してＰＯＳ精算処理装置１０４に送信する。ＰＯＳ精算処理装置１０４は、商品に表示されているバーコードが示すＪＡＮコードを読み取り、書込端末１０３から受信した情報が含むＪＡＮコードと合致すると、受信した情報に応じた価格で商品の精算処理を行う。【選択図】  図１
2006139508.tif 000002
【特許請求の範囲】
【請求項１】
商品の価格を表示し、かつ、商品特定情報を記憶する記憶手段が付随する商品価格表示手段と、
商品の価格に関する価格変更情報を入力するための入力部、価格変更情報を前記商品価格表示手段に記載する記載処理部、前記記憶手段から商品特定情報を読み取る読み取り部、および前記記憶手段から読み取った商品特定情報と前記商品価格表示手段に記載される価格変更情報とを対応付けて送信する送信部を含む書込端末と、
通信ネットワークを介して前記送信部から商品特定情報と価格変更情報とを受信する変更情報受信部、商品に付されている商品特定情報を読み取る商品特定情報読み取り部、および前記商品特定情報読み取り部が読み取った商品特定情報が、前記変更情報受信部が受信した商品特定情報に相当する情報である場合には、商品特定情報に対応する価格変更情報にもとづいて精算処理を行う精算部を含む精算装置と
を備えたことを特徴とする商品情報管理システム。
【請求項２】
書込端末は、記載処理部が価格変更情報を商品価格表示手段に記載する前に、読み取り部に記憶手段から商品特定情報を読み取らせ、読み取り部が読み取った商品特定情報を表示部に表示させる制御部を含む
請求項１記載の商品情報管理システム。
【請求項３】
商品の価格を表示し、かつ、商品特定情報を記憶する記憶手段が付随する商品価格表示手段と、
商品の価格に関する価格変更情報とその情報に対応付けられた商品特定情報とを入力するための入力部、および商品の価格に関する価格変更情報を送信する送信部を含む商品情報管理装置と、
前記商品情報管理装置から商品の価格に関する価格変更情報を受信する受信部、前記記憶手段から商品特定情報を読み取る読み取り部、および前記読み取り部が前記記憶手段から読み取った商品特定情報に対応する価格変更情報を前記商品価格表示手段に記載する記載処理部を含む書込端末と、
通信ネットワークを介して前記商品情報管理装置から商品特定情報と価格変更情報とを受信する変更情報受信部、商品に付されている商品特定情報を読み取る商品特定情報読み取り部、および前記商品特定情報読み取り部が読み取った商品特定情報が、前記変更情報受信部が受信した商品特定情報に相当する情報である場合には、商品特定情報に対応する価格変更情報にもとづいて精算処理を行う精算部を含む精算装置と
を備えたことを特徴とする商品情報管理システム。
【請求項４】
商品情報管理装置における送信部は、価格変更情報とその情報に対応付けられた商品特定情報とを書込端末に送信し、
書込端末は、受信部が受信した価格変更情報と商品特定情報とを対応付けて記憶する記憶部を含み、
記載処理部は、前記記憶部に記憶されている価格変更情報を商品価格表示手段に記載する
請求項３記載の商品情報管理システム。
【請求項５】
書込端末は、記載処理部が価格変更情報を商品価格表示手段に記載する前に、読み取り部に記憶手段から商品特定情報を読み取らせ、前記記憶手段に記憶されている商品特定情報が、書込端末における記憶部に記憶されている商品特定情報に相当する情報であるか否か判断する制御部を含む
請求項４記載の商品情報管理システム。
【請求項６】
商品情報管理装置は、入力された商品の価格に関する価格変更情報とその情報に対応付けられた商品特定情報とを記憶する記憶部を含み、
書込端末は、読み取り部が読み取った商品特定情報を商品情報管理装置に送信する送信部を含み、
商品情報管理装置における送信部は、前記書込端末から受信した商品特定情報が前記記憶部に記憶されている場合に、その商品特定情報に対応する価格変更情報を前記書込端末に送信する
請求項３記載の商品情報管理システム。
【請求項７】
書込端末は、商品情報管理装置から商品特定情報に対応する価格変更情報を受信しなかった場合には、記載処理部を動作させないように制御する制御部を含む
請求項６記載の商品情報管理システム。
【請求項８】
商品の価格を示す情報を商品特定情報に対応付けて記憶する商品価格データベースを備え、
精算装置における精算部は、商品特定情報読み取り部が読み取った商品特定情報に対応する商品の価格を示す情報を前記商品価格データベースから入力し、入力した情報と価格変更情報とにもとづいて精算処理を行う
請求項１から請求項７のうちいずれか１項記載の商品情報管理システム。
【請求項９】
書込端末は、記載処理部に、当該商品に関する付加情報を商品価格表示手段に記載させる付加情報記載制御部を含む
請求項１から請求項８のうちいずれか１項記載の商品情報管理システム。
【請求項１０】
書込端末は、商品特定情報と商品の在庫数とを対応づけて商品ごとに記憶する在庫数記憶部を含み、
付加情報記載制御部は、前記在庫数記憶部が記憶している商品の在庫数と、入力部に商品ごとに入力された前記商品の在庫数との差を商品ごとに算出し、算出した差に応じた情報を商品価格表示手段に記載させる
請求項９記載の商品情報管理システム。
【請求項１１】
商品価格表示手段に付随している記憶手段は、ＲＦＩＤタグである
請求項１から請求項１０のうちいずれか１項記載の商品情報管理システム。
【請求項１２】
商品価格表示手段は、繰り返し書き換え可能なリライト式カードである
請求項１から請求項１１のうちいずれか１項記載の商品情報管理システム。
【請求項１３】
商品の価格に関する価格変更情報を入力するための入力部と、
商品価格表示手段に付随し商品特定情報を記憶する記憶手段から商品特定情報を読み取る読み取り部と、
前記商品価格表示手段に価格変更情報を記載する記載処理部と、
前記記憶手段から読み取った商品特定情報と前記商品価格表示手段に記載される価格変更情報とを対応付けて、精算処理を行う精算装置に送信する送信部と
を備えたことを特徴とする書込端末。
【請求項１４】
商品の価格に関する価格変更情報を商品特定情報に対応付けて保有している商品情報管理装置から、価格変更情報と商品特定情報とを受信する受信部と、
前記受信部が受信した価格変更情報と商品特定情報とを対応付けて記憶する記憶部と、
商品の価格を表示する商品価格表示手段に付随し商品特定情報を記憶する記憶手段から商品特定情報を読み取る読み取り部と、
前記読み取り部が読み取った商品特定情報に相当する商品特定情報に対応する価格変更情報を前記商品価格表示手段に記載する記載処理部と
を備えたことを特徴とする書込端末。
【請求項１５】
商品の価格を表示する商品価格表示手段に付随し商品特定情報を記憶する記憶手段から商品特定情報を読み取る読み取り部と、
前記読み取り部が読み取った商品特定情報を、商品の価格に関する価格変更情報を商品特定情報に対応付けて記憶する商品情報管理装置に送信する送信部と、
前記商品情報管理装置から価格変更情報を受信する受信部と、
前記受信部が受信した価格変更情報を前記商品価格表示手段に記載する記載処理部と
を備えたことを特徴とする書込端末。
【請求項１６】
商品の価格を表示し、かつ、商品特定情報を記憶する記憶手段が付随する商品価格表示手段に価格変更情報を書き込む書込端末におけるコンピュータに、
商品の価格に関する価格変更情報を入力する処理と、
前記記憶手段から商品特定情報を読み取る処理と、
前記商品価格表示手段に価格変更情報を記載する処理と、
前記記憶手段から読み取った商品特定情報と前記商品価格表示手段に記載される価格変更情報とを対応付けて、精算処理を行う精算装置に送信する処理と
を実行させるための書込端末用プログラム。
【請求項１７】
商品の価格を表示し、かつ、商品特定情報を記憶する記憶手段が付随する商品価格表示手段に価格変更情報を書き込む書込端末におけるコンピュータに、
商品の価格に関する価格変更情報を商品特定情報に対応付けて保有している商品情報管理装置から、価格変更情報と商品特定情報とを受信する処理と、
受信した価格変更情報と商品特定情報と対応付けて記憶する処理と、
前記記憶手段から商品特定情報を読み取る処理と、
読み取った商品特定情報に相当する商品特定情報に対応する価格変更情報を前記商品価格表示手段に記載する処理と
を実行させるための書込端末用プログラム。
【請求項１８】
商品の価格を表示し、かつ、商品特定情報を記憶する記憶手段が付随する商品価格表示手段に価格変更情報を書き込む書込端末におけるコンピュータに、
前記記憶手段から商品特定情報を読み取る処理と、
読み取った商品特定情報を、商品の価格に関する価格変更情報を商品特定情報に対応付けて記憶する商品情報管理装置に送信する処理と、
前記商品情報管理装置から価格変更情報を受信する処理と、
受信した価格変更情報を前記商品価格表示手段に記載する処理と
を実行させるための書込端末用プログラム。
【請求項１９】
商品の価格を表示する商品価格表示手段に、商品特定情報を記憶する記憶手段を付随させ、
前記商品価格表示手段に価格変更情報を書き込む書込端末が、商品の価格に関する価格変更情報を入力し、
前記書込端末が、前記記憶手段から商品特定情報を読み取り、
前記書込端末が、価格変更情報を前記商品価格表示手段に記載し、
前記書込端末が、前記記憶手段から読み取った商品特定情報と前記商品価格表示手段に記載される価格変更情報とを対応付けて、精算処理を行う精算装置に送信し、
前記精算装置が、商品に付されている商品特定情報を読み取り、
前記精算装置が、読み取った商品特定情報が、前記書込端末から受信した商品特定情報に相当する情報である場合には、商品特定情報に対応する価格変更情報にもとづいて精算処理を行う
ことを特徴とする商品情報管理方法。
【請求項２０】
商品の価格を表示する商品価格表示手段に、商品特定情報を記憶する記憶手段を付随させ、
商品の価格に関する価格変更情報とその情報に対応付けられた商品特定情報とを入力する商品情報管理装置が、前記商品価格表示手段に価格変更情報を書き込む書込端末と精算処理を行う精算装置とに、価格変更情報を送信し、
前記書込端末が、前記記憶手段から商品特定情報を読み取り、
前記書込端末が、前記商品情報管理装置から受信した価格変更情報であって前記記憶手段から読み取った商品特定情報に対応する価格変更情報を前記商品価格表示手段に記載し、
前記精算装置が、商品に付されている商品特定情報を読み取り、
前記精算装置が、読み取った商品特定情報が、前記商品情報管理装置から受信した商品特定情報に相当する情報である場合には、商品特定情報に対応する価格変更情報にもとづいて精算処理を行う
ことを特徴とする商品情報管理方法。
【発明の詳細な説明】
【技術分野】
【０００１】
本発明は、小売店舗において商品情報を変更するための商品情報管理システム、書込端末、書込端末用プログラムおよび商品情報管理方法に関する。
【背景技術】
【０００２】
小売店舗において、例えば、商品の値引きを行う場合、従来は、小売店舗の売り場の担当者が個々の商品に値引きシールを貼り付け、小売店舗の精算の担当者が、商品に貼り付けられた値引きシールを参照して、精算を行っていた。
【０００３】
しかし、そのような従来の方法では、小売店舗の売り場の担当者、および精算の担当者の手間がかかる。
【０００４】
そこで、商品の価格等の情報を入力する入力装置と、入力装置に入力された情報を記憶する記憶装置と、記憶装置が記憶している商品の価格を表示する価格表示器と、商品に表示されているバーコードを読みとるＰＯＳ（Ｐｏｉｎｔ  ｏｆ  Ｓａｌｅｓ）端末装置と、ＰＯＳ端末装置が読みとったバーコードにもとづいて、記憶装置から商品の情報を検索する管理装置とを備えたシステムが提案されている（特許文献１参照。）。
【０００５】
特許文献１に記載されているシステムでは、例えば、入力装置に商品の価格の情報が入力されると、入力された価格を記憶装置が記憶する。そして、価格表示器は、記憶装置が記憶している価格を表示し、ＰＯＳ端末装置は、記憶装置が記憶している価格で精算を行う。従って、例えば、入力装置に変更された価格の情報が入力されると、価格表示器は、変更された価格を表示し、ＰＯＳ端末装置は、変更された価格で精算を行う。
【０００６】
また、小売店舗の売り場の担当者が、調理時刻の情報を含むバーコードを商品に貼り付け、ＰＯＳ端末が、商品に貼り付けられたバーコードを読みとり、調理時刻と、現在の時刻との差等に応じて商品の価格の値引きを行う方法が提案されている（特許文献２参照。）。
【０００７】
【特許文献１】特開平４−２４６７７０号公報  （段落０００７〜０００８、図１）
【特許文献２】特開２００３−０７７０６８号公報  （段落００１１〜００３６、図１）
【発明の開示】
【発明が解決しようとする課題】
【０００８】
しかし、特許文献１に記載されているシステムは、記憶装置との通信機能を有する価格表示器を各商品陳列棚の各商品の陳列位置ごとに設置しなければならない。そのため、システムが高価になるという問題がある。
【０００９】
また、特許文献２に記載されている方法は、予め商品に表示されているＪＡＮ（Ｊａｐａｎｅｓｅ  Ａｒｔｉｃｌｅ  Ｎｕｍｂｅｒ）コードによるバーコードに加えて、小売店舗独自のバーコードを各商品に貼付しなければならず、手間がかかるという問題がある。また、値引き開始時間や、値引き額等の値引きの情報を、予めＰＯＳ端末に記憶させていなければならず、小売店舗の営業時間中に柔軟に値引き開始時間や値引き額等を変更することが困難であるという問題がある。さらに、顧客に値引き対象商品であるか否かを表示する手段について考慮されておらず、他の手段で顧客に値引きの情報を提供しなければならないという問題がある。
【００１０】
そこで、本発明は、小売店舗の営業時間中であっても商品情報の変更を柔軟に行うことができる安価な商品情報管理システム、書込端末、書込端末用プログラムおよび商品情報管理方法を提供することを目的とする。
【課題を解決するための手段】
【００１１】
本発明による商品情報管理システムは、商品の価格を表示し、かつ、商品特定情報を記憶する記憶手段が付随する商品価格表示手段と、商品の価格に関する価格変更情報を入力するための入力部、価格変更情報を商品価格表示手段に記載する記載処理部、記憶手段から商品特定情報を読み取る読み取り部、および記憶手段から読み取った商品特定情報と商品価格表示手段に記載される価格変更情報とを対応付けて送信する送信部を含む書込端末と、通信ネットワークを介して送信部から商品特定情報と価格変更情報とを受信する変更情報受信部、商品に付されている商品特定情報を読み取る商品特定情報読み取り部、および商品特定情報読み取り部が読み取った商品特定情報が、変更情報受信部が受信した商品特定情報に相当する情報である場合には、商品特定情報に対応する価格変更情報にもとづいて精算処理を行う精算部を含む精算装置とを備えたことを特徴とする。
【００１２】
書込端末は、記載処理部が価格変更情報を商品価格表示手段に記載する前に、読み取り部に記憶手段から商品特定情報を読み取らせ、読み取り部が読み取った商品特定情報を表示部に表示させる制御部を含むことが好ましい。書込端末の操作者が、誤って他の記憶手段に価格変更情報を記載する処理を実行してしまうことを防止できるからである。
【００１３】
本発明による他の態様の商品情報管理システムは、商品の価格を表示し、かつ、商品特定情報を記憶する記憶手段が付随する商品価格表示手段と、商品の価格に関する価格変更情報とその情報に対応付けられた商品特定情報とを入力するための入力部、および商品の価格に関する価格変更情報を送信する送信部を含む商品情報管理装置と、商品情報管理装置から商品の価格に関する価格変更情報を受信する受信部、記憶手段から商品特定情報を読み取る読み取り部、および読み取り部が記憶手段から読み取った商品特定情報に対応する価格変更情報を商品価格表示手段に記載する記載処理部を含む書込端末と、通信ネットワークを介して商品情報管理装置から商品特定情報と価格変更情報とを受信する変更情報受信部、商品に付されている商品特定情報を読み取る商品特定情報読み取り部、および商品特定情報読み取り部が読み取った商品特定情報が、変更情報受信部が受信した商品特定情報に相当する情報である場合には、商品特定情報に対応する価格変更情報にもとづいて精算処理を行う精算部を含む精算装置とを備えたことを特徴とする。
【００１４】
商品情報管理装置における送信部が、価格変更情報とその情報に対応付けられた商品特定情報とを書込端末に送信し、書込端末が、受信部が受信した価格変更情報と商品特定情報とを対応付けて記憶する記憶部を含み、記載処理部が、記憶部に記憶されている価格変更情報を商品価格表示手段に記載するように構成されていてもよい。そのような構成によれば、書込端末は、商品情報管理装置から多数の価格変更情報と商品特定情報とを一括して受信して記憶しておくことができ、また、書込端末から精算装置に価格変更情報送信しなくてよいので、書込端末を接続するための通信ネットワークを不要にすることができる。
【００１５】
書込端末が、記載処理部が価格変更情報を商品価格表示手段に記載する前に、読み取り部に記憶手段から商品特定情報を読み取らせ、記憶手段に記憶されている商品特定情報が、書込端末における記憶部に記憶されている商品特定情報に相当する情報であるか否か判断する制御部を含むことが好ましい。書込端末が、誤って他の記憶手段に価格変更情報を記載する処理を実行してしまうことを防止できるからである。
【００１６】
商品情報管理装置が、入力された商品の価格に関する価格変更情報とその情報に対応付けられた商品特定情報とを記憶する記憶部を含み、書込端末が、読み取り部が読み取った商品特定情報を商品情報管理装置に送信する送信部を含み、商品情報管理装置における送信部が、書込端末から受信した商品特定情報が記憶部に記憶されている場合に、その商品特定情報に対応する価格変更情報を書込端末に送信するように構成されていてもよい。そのような構成によれば、書込端末から精算装置に価格変更情報送信しなくてよいので、書込端末を接続するための通信ネットワークを不要にすることができる。また、書込端末の記憶容量を増加させない。
【００１７】
書込端末が、商品情報管理装置から商品特定情報に対応する価格変更情報を受信しなかった場合には、記載処理部を動作させないように制御する制御部を含むことが好ましい。書込端末が、誤って他の記憶手段に価格変更情報を記載する処理を実行してしまうことを防止できるからである。
【００１８】
本発明による商品情報管理方法は、商品の価格を表示する商品価格表示手段に商品特定情報を記憶する記憶手段を付随させ、商品価格表示手段に価格変更情報を書き込む書込端末が商品の価格に関する価格変更情報を入力し、書込端末が記憶手段から商品特定情報を読み取り、書込端末が価格変更情報を商品価格表示手段に記載し、書込端末が記憶手段から読み取った商品特定情報と商品価格表示手段に記載される価格変更情報とを対応付けて、精算処理を行う精算装置に送信し、精算装置が商品に付されている商品特定情報を読み取り、精算装置が、読み取った商品特定情報が、書込端末から受信した商品特定情報に相当する情報である場合には、商品特定情報に対応する価格変更情報にもとづいて精算処理を行うことを特徴とする。
【００１９】
本発明による他の態様の商品情報管理方法は、商品の価格を表示する商品価格表示手段に商品特定情報を記憶する記憶手段を付随させ、商品の価格に関する価格変更情報とその情報に対応付けられた商品特定情報とを入力する商品情報管理装置が、商品価格表示手段に価格変更情報を書き込む書込端末と精算処理を行う精算装置とに、価格変更情報を送信し、書込端末が記憶手段から商品特定情報を読み取り、書込端末が商品情報管理装置から受信した価格変更情報であって記憶手段から読み取った商品特定情報に対応する価格変更情報を商品価格表示手段に記載し、精算装置が商品に付されている商品特定情報を読み取り、精算装置が読み取った商品特定情報が、商品情報管理装置から受信した商品特定情報に相当する情報である場合には、商品特定情報に対応する価格変更情報にもとづいて精算処理を行うことを特徴とする。
【発明の効果】
【００２０】
本発明によれば、小売店舗の営業時間中であっても商品の価格の変更を柔軟に行うことができる安価な商品情報管理システム、書込端末および書込端末用プログラムを提供することができる。
【発明を実施するための最良の形態】
【００２１】
実施の形態１．
本発明の第１の実施の形態について、図面を参照して説明する。図１は、本発明の第１の実施の形態の一構成例を示す説明図である。
【００２２】
図１に示すように、本発明の第１の実施の形態は、商品陳列棚１０１と、商品価格表示手段としてのプライスカード１０２と、書込端末１０３と、ＰＯＳ精算処理装置（精算装置）１０４と、通信ネットワーク１０５とを含む。
【００２３】
通信ネットワーク１０５は、例えば、無線ＬＡＮ等によって実現され、書込端末１０３とＰＯＳ精算処理装置１０４を通信可能に接続する。
【００２４】
商品陳列棚１０１は、小売店舗内に設置され、商品を陳列する棚を有する。棚の各段に商品が陳列される。なお、商品陳列棚１０１は、小売店舗内に複数設置されていてもよい。プライスカード１０２は、商品陳列棚１０１において陳列されている各商品の近傍にそれぞれ設置され、商品名や、商品の価格等の情報を表示する。
【００２５】
図２は、プライスカード１０２の一例を示す説明図である。なお、プライスカード１０２には、例えば、ＲＦＩＤ（Ｒａｄｉｏ  Ｆｒｅｑｕｅｎｃｙ  ＩＤｅｎｔｉｆｉｃａｔｉｏｎ）タグ等の記憶手段が付随し、記憶手段は、商品のＪＡＮコード（商品特定情報の一例）またはＪＡＮコードに対応した商品特定情報、商品名、商品の価格、商品の価格変更の有無を示す変更指示情報、および価格変更の内容を示す価格変更情報を商品情報として記憶している。変更指示情報は、必須の情報ではなく、商品情報として記憶されていなくてもよい。変更指示情報が記憶されない場合には、価格変更情報の有無または価格変更情報が０を示しているか否か等にもとづいて、商品の価格変更の有無が判断される。なお、「付随」とは、例えばプライスカード１０２に内蔵されていることであるが、プライスカード１０２に貼付されていたりしてもよい。また、記憶手段としてＲＦＩＤタグを用いると、書込端末１０３は、プライスカード１０２に付随する記憶手段に接触することなくプライスカード１０２に付随する記憶手段が記憶している情報を読み出したり、プライスカード１０２に付随する記憶手段に情報を書き込んだりすることができるので、プライスカード１０２における記載やプライスカード１０２の汚れに影響されることなく情報を読み書きでき、情報の信頼性を向上させることができる。
【００２６】
図３は、プライスカード１０２に付随する記憶手段が記憶している内容を示す説明図である。図４は、プライスカード１０２に付随する記憶手段が記憶している内容の具体例を示す図である。図４に示す例では、ＪＡＮコードが「１２３４５６７８９０１２３」であり、変更指示情報が「０」であり、価格変更情報が「０」である。
【００２７】
プライスカード１０２は、例えば、ロイコタイプのように、表面の印字を繰り返し書き換え可能なリライト方式のカードである。リライト方式のカードを使用すると、商品の価格等を変更する場合に、プライスカード１０２を再利用することができる。また、プライスカード１０２は、例えば、液晶表示部を備え、液晶表示部が情報を表示してもよい。
【００２８】
図５は、書込端末１０３の一構成例を示すブロック図である。図５に示すように、書込端末１０３は、情報を入力するためのキーボード等の入力部３０、情報をプライスカード１０２に付随する記憶手段に記憶させる書き込み部３２、入力部３０に入力された情報をプライスカード１０２の表面に印字する印字部（記載処理部の一例）３３、通信ネットワーク１０５を介して情報を送受信する無線ＬＡＮ通信部（送信部）３４、プライスカード１０２に付随する記憶手段が記憶している情報を読み取る読み取り部３５、情報を表示する表示部３６および書込端末１０３の各部を制御する制御部３１を含む。プライスカード１０２に付随する記憶手段がＲＦＩＤタグである場合には、書き込み部３２および読み取り部３５を、アンテナを含む１つの書込／読取回路で実現することもできる。
【００２９】
書込端末１０３には、例えば、スリットが設けられており、そのスリットにプライスカード１０２が挿入されると、印字部３３は、情報をプライスカード１０２の表面に印字する。印字部３３は、ロイコタイプのようなリライト方式のカードの印字に対応していてもよい。また、書込端末１０３は、バッテリ（図示せず）を内蔵した携帯型の端末であってもよい。書込端末１０３が携帯型の端末である場合には、小売店舗の店員は、書込端末１０３を携帯して任意の場所でプライスカード１０２に情報を書き込むことができる。
【００３０】
表示部３６は、例えば、液晶表示パネルによって実現される。制御部３１は、例えば、プログラムによって処理を実行するＣＰＵによって実現される。
【００３１】
ＰＯＳ精算処理装置１０４は、各商品と価格とを対応づけて記憶している商品価格データベースを内蔵していてもよく、商品価格データベースを実現する外部記憶装置に接続されていてもよい。そして、ＰＯＳ精算処理装置１０４は、予め商品に表示されているバーコード（ＪＡＮコード）を読み取ると、商品価格データベースから、読み取ったバーコードが示す商品に対応づけられている価格を読み出して精算処理を行う。
【００３２】
また、ＰＯＳ精算処理装置１０４は、通信ネットワーク１０５を介して書込端末１０３から変更指示情報と価格変更情報とを受信する変更情報受信部と、受信した変更指示情報が価格変更があることを示すと、価格変更情報と、商品に付されている商品特定情報を読み取るバーコードリーダ等の商品特定情報読み取り部と、商品価格データベースから読み出した価格とにもとづいて商品の精算処理を行う精算部とを含む。具体的には、精算部は、例えば、変更指示情報が価格変更があることを示し、価格変更情報が３０％引きであることを示し、商品価格データベースから読み出した価格が２１０円であった場合、２１０−（２１０×０．３）＝１４７なので、商品の価格が１４７円であるものとして精算処理を行う。
【００３３】
次に、本発明の第１の実施の形態の動作について、図面を参照して説明する。図６は、本発明の第１の実施の形態における書込端末１０３の動作を示すフローチャートである。図７は、第１の実施の形態におけるＰＯＳ精算処理装置１０４の動作を示すフローチャートである。
【００３４】
以下、小売店舗が通常２１０円で販売している「○○製菓  のりせんべい」を、例えば、タイムセールス等で、営業時間中に３０％引きで販売する場合を例に説明する。
【００３５】
小売店舗の売り場の担当者等が、書込端末１０３をプライスカード１０２に近づけると、書込端末１０３の読み取り部３５が、プライスカード１０２に付随する記憶手段が記憶している商品情報を読み取る（ステップＳ１０１）。書込端末１０３の制御部３１は、表示部３６に、読み取り部３５が読み取った商品情報を表示させる（ステップＳ１０２）。ステップＳ１０２では、例えば、商品情報のうち、商品名や商品の価格が表示される。また、商品情報に賞味期限が含まれていれば、それも表示するようにしてもよい。
【００３６】
小売店舗の売り場の担当者は、書込端末１０３の表示部３６が表示した情報を参照して、現在の販売価格等を確認し、例えば、現在の来店者数や、商品の在庫数等に応じて、価格を変更するか否かを判断し、価格を変更する場合、価格の変更の内容を決定する。
【００３７】
小売店舗の売り場の担当者は、書込端末１０３の入力部３０を操作して、商品の価格を変更することを示す変更指示情報と、価格変更の内容を示す価格変更情報とを入力する（ステップＳ１０３）。具体的には、例えば、変更指示情報として「１」を入力し、価格変更情報として「３０」を入力する。なお、変更指示情報において、「１」は価格変更ありを示し、「０」は価格変更なしを示しているものとする。また、価格変更情報における数字は割引率を示すものとするが、本発明はこれに限定されるものではなく、例えば、割引額を示していてもよい。
【００３８】
小売店舗の売り場の担当者等が、書込端末１０３に設けられたスリットにプライスカード１０２を挿入すると、すなわちプライスカード１０２を書込端末１０３に装着すると、書込端末１０３の書き込み部３２は、入力部３０に入力された変更指示情報と価格変更情報とをプライスカード１０２に付随する記憶手段（例えばＲＦＩＤタグ）に記憶させる（ステップＳ１０４）。図８は、プライスカード１０２に付随する記憶手段が記憶した情報の具体例を示す図である。なお、ステップＳ１０１の処理を実現するために、書込端末１０３をプライスカード１０２に近づけるのではなく、プライスカード１０２を書込端末１０３に装着するようにしてもよい。その場合には、既にプライスカード１０２が書込端末１０３に装着されているので、ステップＳ１０４の処理を実行するためにあらためてプライスカード１０２を書込端末１０３に装着する必要はない。
【００３９】
また、書込端末１０３の印字部３３は、入力部３０に入力された価格変更情報をプライスカード１０２の表面に印字する（ステップＳ１０５）。図９は、印字部３３がプライスカード１０２の表面に印字した例を示す図である。
【００４０】
書込端末１０３の無線ＬＡＮ通信部３４は、入力部３０に入力された変更指示情報、価格変更情報、および読み取り部３５がプライスカード１０２に付随する記憶手段から読み取ったＪＡＮコードを、対応づけて通信ネットワーク１０５を介してＰＯＳ精算処理装置１０４に送信する（ステップＳ１０６）。なお、入力部３０に入力された変更指示情報および価格変更情報は書込端末１０３における記憶部に一時記憶され、無線ＬＡＮ通信部３４は、記憶部に記憶されている変更指示情報および価格変更情報を送信するが、プライスカード１０２に付随している記憶手段から変更指示情報および価格変更情報をあらためて読み出して、読み出した情報を送信するようにしてもよい。
【００４１】
ＰＯＳ精算処理装置１０４は、書込端末１０３から受信した変更指示情報、価格変更情報、およびＪＡＮコードを対応づけて記憶する（ステップＳ１１１，Ｓ１１２）。
【００４２】
顧客が商品を精算場所に持ち込むと、すなわち精算処理をすべき状況が発生した場合には（ステップＳ１１３）、精算場所における小売店舗の担当者は、商品に付されているＪＡＮコードをＰＯＳ精算処理装置１０４に読み取らせる（ステップＳ１１４）。ＰＯＳ精算処理装置１０４は、商品に付されているＪＡＮコードを読み取ると、ＪＡＮコードに対応づけられた価格を商品価格データベースから入力する（ステップＳ１１５）。そして、読み取ったＪＡＮコードが、書込端末１０３から受信して記憶しているＪＡＮコードと合致するか否かを判断する（ステップＳ１１６）。読み取った商品のＪＡＮコードと、書込端末１０３から受信したＪＡＮコードとが合致すると判断すると（ステップＳ１１６）、書込端末１０３から受信して記憶している変更指示情報を参照する。ＰＯＳ精算処理装置１０４は、変更指示情報が価格変更ありを示していると（ステップＳ１１７）、書込端末１０３から受信した価格変更情報にもとづいて、商品の価格を算出する（ステップＳ１１８）。
【００４３】
具体的には、商品価格データベースが記憶している「○○製菓  のりせんべい」の価格は２１０円であり、変更指示情報が「１」であり（価格変更ありを示している）、価格変更情報が「３０」（３０％引きであることを示している）であるので、ＰＯＳ精算処理装置１０４は、２１０円の３０％引きである１４７円を商品の価格として算出する。
【００４４】
ＰＯＳ精算処理装置１０４は、算出した価格で精算処理を行う（ステップＳ１１９）。また、ＰＯＳ精算処理装置１０４は、読み取った商品のＪＡＮコードと、書込端末１０３から受信したＪＡＮコードとが合致しなかったり、書込端末１０３から受信した変更指示情報が「０」（価格変更なしを示している）であったりすると、商品価格データベースから読み出した価格で精算処理を行う（ステップＳ１２０）。
【００４５】
なお、書込端末１０３における制御部３１がプログラムに従って処理を行うＣＰＵで実現されている場合には、商品の価格に関する価格変更情報を入力部３０から入力する処理と、読み取り部３５に、プライスカード１０２に付随する記憶手段から商品特定情報を読み取らせる処理と、印字部３３を駆動してプライスカード１０２に価格変更情報を記載させる処理と、無線ＬＡＮ通信部３４に、プライスカード１０２に付随する記憶手段から読み取った商品特定情報とプライスカード１０２に記載される価格変更情報とを対応付けて精算処理を行う精算装置に送信させる処理とを実行する書込端末用プログラムが、書込端末１０３に搭載される。
【００４６】
以上に述べたように、この実施の形態によれば、小売店舗の売り場の担当者が、書込端末１０３を操作することによって、柔軟に商品の価格を変更することができる。また、プライスカード１０２に、紙製や、ロイコタイプ等のカードを用いるので、通信機能を有する価格表示手段を用いる場合と比較して、安価にシステムを構築することができる。
【００４７】
実施の形態２．
本発明の第２の実施の形態について説明する。図１０は、本発明の第２の実施の形態の一構成例を示す説明図である。
【００４８】
本発明の第２の実施の形態の構成は、商品陳列棚１０１と、プライスカード１０２と、書込端末１２３と、ＰＯＳ精算処理装置１０４と、商品情報管理装置に相当する商品管理サーバ１２６と、通信ネットワーク１２５とを含む。商品陳列棚１０１、プライスカード１０２、およびＰＯＳ精算処理装置１０４の構成は、第１の実施の形態におけるそれらの構成と同様なため、図１と同じ符号を付し、説明を省略する。
【００４９】
図１１は、書込端末１２３の一構成例を示すブロック図である。図１１に示すように、この実施の形態における書込端末１２３は、第１の実施の形態の書込端末１０３の無線ＬＡＮ通信部３４を、近距離データ通信部３７に置き換え、記憶部３８を追加したものである。そのため、その他の制御部等には、図５と同じ符号を付し、説明を省略する。
【００５０】
第１の実施の形態では、変更指示情報および価格変更情報は、書込端末１０３の入力部３０から入力されたが、この実施の形態では、それらの情報は、商品管理サーバ１２６において、１つまたは多数（２以上）の商品について入力される。そして、商品管理サーバ１２６から書込端末１２３に、１つまたは多数の商品についての変更指示情報および価格変更情報がＪＡＮコード等の商品特定情報に対応付けて一括して送信される。書込端末１２３において、制御部３１は、商品管理サーバ１２６から受信した情報を記憶部３８に記憶させる。
【００５１】
その後、小売店舗の売り場の担当者等は、状況に応じて価格を変更することにした場合に、変更指示情報および価格変更情報を入力部３０から入力する必要はない。書込端末１２３に、プライスカード１０２に付随している記憶手段からＪＡＮコード等の商品特定情報を読み出させ、読み出させた商品特定情報に一致する情報が記憶部３０に記憶されている場合には、商品特定情報に対応する変更指示情報および価格変更情報を、プライスカード１０２に付随している記憶手段に記憶させる。また、書込端末１２３に、プライスカード１０２に価格変更情報を印字する処理を実行させる。
【００５２】
近距離データ通信部３７は、例えば、赤外線通信や、ＵＳＢ（Ｕｎｉｖｅｒｓａｌ  Ｓｅｒｅａｌ  Ｂｕｓ）ケーブル、シリアルケーブル、ＬＡＮケーブル等で通信可能に接続された商品管理サーバ１２６と情報の送受信を行う。従って、近距離データ通信部３７は、商品の価格に関する価格変更情報を受信する受信部を実現する。なお、書込端末１２３が、例えば、商品管理サーバ１２６に接続されたクレイドル等の装置に載置されると、近距離データ通信部３７は、商品管理サーバ１２６と情報を送受信してもよい。記憶部３８は、近距離データ通信部３７が商品管理サーバ１２６から受信した情報を記憶する。
【００５３】
通信ネットワーク１２５は、例えば、ＬＡＮ等によって実現される。商品管理サーバ１２６は、通信ネットワーク１２５を介してＰＯＳ精算処理装置１０４に接続され、情報を送受信する。商品管理サーバ１２６は、商品を指定する情報（商品特定情報）や、変更指示情報や、価格変更情報を入力するための入力部と、入力部に、商品を指定する情報や変更指示情報や価格変更情報が入力されると、それらの情報をＰＯＳ精算処理装置１０４に送信する送信部とを備える。
【００５４】
また、商品管理サーバ１２６の入力部に、商品を指定する情報や変更指示情報や価格変更情報が入力されると、それらの情報を書込端末１２３に送信する出力部を備える。なお、商品管理サーバ１２６は、例えば、小売店舗のバックヤード等に設置される。また、商品管理サーバ１２６は、商品価格データベースを実現する記憶装置を備えていてもよい。
【００５５】
なお、書込端末１２３における制御部３１がプログラムに従って処理を行うＣＰＵで実現されている場合には、商品の価格に関する価格変更情報を商品特定情報に対応付けて保有している商品管理サーバ１２６から、価格変更情報と商品特定情報とを近距離データ通信部３７を介して受信する処理と、受信した価格変更情報と商品特定情報と対応付けて記憶部３８に記憶する処理と、読み取り部３５に、プライスカード１０２に付随する記憶手段から商品特定情報を読み取らせる処理と、印字部３３に、読み取った商品特定情報に相当する商品特定情報に対応する価格変更情報をプライスカード１０２に記載させる処理とを実行する書込端末用プログラムが、書込端末１２３に搭載される。
【００５６】
次に、本発明の第２の実施の形態の動作について、図面を参照して説明する。図１２は、本発明の第２の実施の形態における商品管理サーバおよび書込端末の動作を示すフローチャートである。図１３は、第２の実施の形態におけるＰＯＳ精算処理装置１０４の動作を示すフローチャートである。
【００５７】
以下、小売店舗が通常２１０円で販売している「○○製菓  のりせんべい」を、例えば、タイムセールス等で、営業時間中に３０％引きで販売する場合を例に説明する。
【００５８】
商品管理サーバ１２６に対して、商品を指定して、変更指示情報と価格変更情報とが入力されると（ステップＳ２０１）、商品管理サーバ１２６は、入力された情報を一時記憶する。商品管理サーバ１２６は、書込端末１２３が商品管理サーバ１２６に通信可能に接続されると、書込端末１２３に、入力された商品を指定する情報（商品特定情報）と、変更指示情報と価格変更情報とを送信し、通信ネットワーク１２５を介して、入力された商品を指定する情報と、変更指示情報と価格変更情報とをＰＯＳ精算処理装置１０４に送信する（ステップＳ２０２）。具体的には、例えば、変更指示情報として「１」が入力され、価格変更情報として「３０」が入力されたものとする。書込端末１２３において、各情報は近距離データ通信部３７で受信され、記憶部３８に記憶される（ステップＳ２０３）。
【００５９】
なお、ここでは、１つの変更指示情報および価格変更情報が商品管理サーバ１２６に入力された場合を例にするが、書込端末１２３が商品管理サーバ１２６に通信可能に接続される前に多数の変更指示情報および価格変更情報が商品管理サーバ１２６に記憶されている場合には、商品管理サーバ１２６は、全ての変更指示情報および価格変更情報と、対応する商品特定情報とを、書込端末１２３およびＰＯＳ精算処理装置１０４に送信する。また、小売店舗の売り場の担当者等は、例えば、小売店の開店前に、書込端末１２３を商品管理サーバ１２６に通信可能に接続する。その場合、商品管理サーバ１２６には、前夜等に、変更指示情報および価格変更情報が入力される。
【００６０】
なお、商品管理サーバ１２６に入力した変更指示情報と価格変更情報とに対応する商品を指定する方法には、例えば、商品管理サーバ１２６のキーボード（図示せず）等を介してＪＡＮコードを直接入力する方法や、商品管理サーバ１２６に付随しているバーコードリーダ（図示せず）に対象商品に表示されているバーコードを読み取らせる方法等がある。以下、商品を指定する情報は、ＪＡＮコードであるものとするが、本発明はこれに限定されるものではなく、他の方法で商品を指定してもよい。
【００６１】
書込端末１２３の近距離データ通信部３７が、商品管理サーバ１２６からＪＡＮコードと変更指示情報と価格変更情報とを受信した後、小売店舗の売り場の担当者等が、商品の価格を変更しようとするときに、書込端末１２３をプライスカード１０２に近づける。すると、読み取り部３５が、プライスカード１０２に付随する記憶手段が記憶している商品情報としてのＪＡＮコードを読み取る（ステップＳ２０４，Ｓ２０５）。
【００６２】
そして、制御部３１が、読み取り部３５が読み取ったＪＡＮコードと、記憶部３８に記憶されているＪＡＮコードとが合致すると判断すると（ステップＳ２０６）、表示部３６にその旨を表示する。制御部３１は、読み取り部３５が読み取ったＪＡＮコードに合致するＪＡＮコードが記憶部３８に記憶されていない場合には、例えば、該当する情報がないことを示す情報を表示部３６に表示する。また、書き込み部３２および印字部３３を動作させない。
【００６３】
売り場の担当者等が、表示部３６におけるＪＡＮコードが合致した旨の表示に応じて、書込端末１２３に設けられたスリットに、プライスカード１０２を挿入すると、すなわちプライスカード１０２を書込端末１２３に装着すると、書き込み部３２は、商品管理サーバ１２６から受信し記憶部３８に記憶されている価格変更情報をプライスカード１０２に付随する記憶手段に書き込む（ステップＳ２０７）。ＪＡＮコードに対応する変更指示情報および価格変更情報が記憶部３８に記憶されていない場合には、例えば、書込端末１２３における制御部３１は、該当する情報がないことを示す情報を表示部３６に表示する。また、書き込み部３２を動作させない。なお、ステップＳ２０５の処理を実現するために、書込端末１２３をプライスカード１０２に近づけるのではなく、プライスカード１０２を書込端末１２３に装着するようにしてもよい。その場合には、既にプライスカード１０２が書込端末１２３に装着されているので、ステップＳ２０７の処理を実行するためにあらためてプライスカード１０２を書込端末１２３に装着する必要はない。
【００６４】
また、書込端末１２３の印字部３３は、商品管理サーバ１２６から受信し記憶部３８に記憶されている価格変更情報をプライスカード１０２の表面に印字する（ステップＳ２０８）。
【００６５】
ＰＯＳ精算処理装置１０４は、商品管理サーバ１２６から変更指示情報、価格変更情報、およびＪＡＮコードを受信した場合には、変更指示情報、価格変更情報、およびＪＡＮコードを対応づけて記憶する（ステップＳ１１１Ａ，１１２）。その後のＰＯＳ精算処理装置１０４の動作は、第１の実施の形態の場合と同様である。
【００６６】
なお、小売店舗の売り場の担当者が通信ネットワーク１２５に接続されている図示しない端末に、書込端末１２３を用いたプライスカード１０２への各処理が終了したことを示す情報を入力し、ＰＯＳ精算処理装置１０４は、その端末から書込端末１２３を用いたプライスカード１０２への各処理が終了したことを示す情報を受信してから、商品管理サーバ１２６から受信した価格変更情報にもとづいて、商品の価格を算出してもよい。つまり、ＰＯＳ精算処理装置１０４は、プライスカード１０２への各処理が終了してから、商品を精算するときの価格を変更してもよい。
【００６７】
また、書込端末１２３の近距離データ通信部３７は、書き込み部３２および印字部３３によるプライスカード１０２への処理が終了し、クレイドルに載置されると、商品管理サーバ１２６に、プライスカード１０２への処理が終了したことを示す情報を送信してもよい。
【００６８】
以上に述べたように、この実施の形態によれば、書込端末１２３は、無線ＬＡＮ通信部３４を備える必要がなく、小売店舗に無線ＬＡＮ等の通信ネットワーク１０５を設置する必要がないため、安価にシステムを構築することができる。
【００６９】
実施の形態３．
本発明の第３の実施の形態について、図面を参照して説明する。図１４は、本発明の第３の実施の形態の一構成例を示す説明図である。
【００７０】
図１４に示すように、本発明の第３の実施の形態は、商品陳列棚１０１と、プライスカード１０２と、書込端末１０３と、ＰＯＳ精算処理装置１０４と、通信ネットワーク１０５と、商品管理サーバ１３６とを含む。
【００７１】
商品陳列棚１０１、プライスカード１０２、書込端末１０３、ＰＯＳ精算処理装置１０４、および通信ネットワーク１０５の構成は、第１の実施の形態におけるそれらの構成と同様なため、図１と同じ符号を付し、説明を省略する。
【００７２】
商品管理サーバ１３６は、通信ネットワーク１０５を介して、書込端末１０３およびＰＯＳ精算処理装置１０４と情報の送受信を行う。商品管理サーバ１３６は、商品を指定する情報や、変更指示情報や、価格変更情報が入力されると、それらの情報を自身の記憶部に記憶する。そして、書込端末１２３から商品特定情報が送信されると、記憶している商品を指定する情報や、変更指示情報および価格変更情報を、通信ネットワーク１０５を介して書込端末１０３およびＰＯＳ精算処理装置１０４に送信する。なお、商品管理サーバ１３６は、例えば、小売店舗のバックヤード等に設置される。
【００７３】
また、書込端末１０３における制御部３１がプログラムに従って処理を行うＣＰＵで実現されている場合には、プライスカード１０２に付随する記憶手段から商品特定情報を読み取る処理と、読み取った商品特定情報を、無線ＬＡＮ通信部３４に、商品の価格に関する価格変更情報を商品特定情報に対応付けて記憶する商品管理サーバ１３６に送信させる処理と、商品管理サーバ１３６から無線ＬＡＮ通信部３４を介して価格変更情報を受信する処理と、受信した価格変更情報をプライスカード１０２に記載する処理とを実行する書込端末用プログラムが、書込端末１０３に搭載される。
【００７４】
第２の実施の形態では、商品管理サーバ１２６から書込端末１２３に、１つまたは多数の商品についての変更指示情報および価格変更情報がＪＡＮコード等の商品特定情報に対応付けて一括して送信された。そして、書込端末１２３において、制御部３１が、商品管理サーバ１２６から受信した情報を記憶部３８に記憶させた。この実施の形態では、変更指示情報および価格変更情報が、商品管理サーバ１３６において、１つまたは多数の商品について入力可能であることは第２の実施の形態の場合と同様であるが、書込端末１０３から要求があると、商品管理サーバ１３６は、該当する変更指示情報および価格変更情報を自身の記憶部から読み出して書込端末１２３とＰＯＳ精算処理装置１０４とに対して供給する。
【００７５】
次に、本発明の第３の実施の形態の動作について、図面を参照して説明する。図１５は、本発明の第３の実施の形態における商品管理サーバおよび書込端末の動作を示すフローチャートである。
【００７６】
以下、小売店舗が通常２１０円で販売している「○○製菓  のりせんべい」を、例えば、タイムセールス等で、営業時間中に３０％引きで販売する場合を例に説明する。
【００７７】
商品管理サーバ１３６に、商品を指定して、変更指示情報と価格変更情報とが入力されると（ステップＳ３０１）、商品管理サーバ１３６は、それらの情報を記憶する（ステップＳ３０２）。具体的には、例えば、変更指示情報として「１」が入力され、価格変更情報として「３０」が入力されたものとする。
【００７８】
ここでは、１つの変更指示情報および価格変更情報が商品管理サーバ１３６に入力された場合を例にするが、書込端末１２３が商品管理サーバ１３６に通信可能に接続される前に多数の変更指示情報および価格変更情報が商品管理サーバ１３６に記憶されている場合には、商品管理サーバ１３６は、全ての変更指示情報および価格変更情報と、対応する商品特定情報とを記憶する。
【００７９】
なお、商品管理サーバ１３６に入力した変更指示情報と価格変更情報とに対応する商品を指定する方法には、例えば、商品管理サーバ１３６のキーボード（図示せず）等を介してＪＡＮコードを直接入力する方法や、商品管理サーバ１３６に付随しているバーコードリーダ（図示せず）に対象商品に表示されているバーコードを読み取らせる方法等がある。以下、商品を指定する情報は、ＪＡＮコードであるものとするが、本発明はこれに限定されるものではなく、他の方法で商品を指定してもよい。
【００８０】
小売店舗の売り場の担当者等が、商品の価格を変更しようとするときに、書込端末１０３をプライスカード１０２に近づける。すると、読み取り部３５が、プライスカード１０２に付随する記憶手段が記憶している商品情報としてのＪＡＮコードを読み取る（ステップＳ３０３，Ｓ３０４）。書込端末１０３の制御部３１は、読み取り部３５が読み取ったＪＡＮコードを、無線ＬＡＮ通信部３４および通信ネットワーク１０５を介して商品管理サーバ１３６に送信する（ステップＳ３０５）。
【００８１】
商品管理サーバ１３６における制御部（具体的には、プログラムに従って動作するＣＰＵ）は、書込端末１０３からＪＡＮコードが送信されると、すなわち価格変更情報等の送信を要求されると、そのＪＡＮコードがが自身の記憶部に記憶されている場合には、そのＪＡＮコードに対応する変更指示情報および価格変更情報を、書込端末１０３とＰＯＳ精算処理装置１０４とに対して送信する（ステップＳ３０６）。書込端末１０３において、商品管理サーバ１３６から送信された情報は一時記憶される。
【００８２】
商品管理サーバ１３６の記憶部に、ＪＡＮコードに対応する変更指示情報および価格変更情報が記憶されていない場合には、商品管理サーバ１３６における制御部は、例えば、該当する情報がないことを示す情報を書込端末１０３に送信する。その場合、書込端末１０３における制御部３１は、該当する情報がないことを示す情報を表示部３６に表示する。また、書き込み部３２および印字部３３を動作させない。すなわち、商品管理サーバ１３６から商品特定情報に対応する価格変更情報を受信しなかった場合には、書き込み部３２および印字部３３を動作させないように制御する。
【００８３】
そして、売り場の担当者等が、書込端末１０３に設けられたスリットに、プライスカード１０２を挿入すると、すなわちプライスカード１０２を書込端末１０３に装着すると、書込端末１０３の書き込み部３２は、商品管理サーバ１３６から受信した価格変更情報をプライスカード１０２に付随する記憶手段に書き込む（ステップＳ３０７）。
【００８４】
なお、ステップＳ３０４の処理を実現するために、書込端末１０３をプライスカード１０２に近づけるのではなく、プライスカード１０２を書込端末１０３に装着するようにしてもよい。その場合には、既にプライスカード１０２が書込端末１０３に装着されているので、ステップＳ３０７の処理を実行するためにあらためてプライスカード１０２を書込端末１０３に装着する必要はない。
【００８５】
また、書込端末１０３の印字部３３は、無線ＬＡＮ通信部３４が商品管理サーバ１３６から受信した価格変更情報をプライスカード１０２の表面に印字する（ステップＳ３０８）。
【００８６】
なお、書込端末１０３は、プライスカード１０２への各処理が終了すると、通信ネットワーク１０５を介して、商品管理サーバ１３６に、プライスカード１０２への各処理が終了したことを示す情報を送信してもよい。
【００８７】
ＰＯＳ精算処理装置１０４の動作は、第２の実施の形態の場合と同様である。
【００８８】
以上に述べたように、この実施の形態によれば、小売店舗のバックヤード等に設置されている商品管理サーバ１３６に、ＪＡＮコード、変更指示情報、および価格変更情報を入力するため、売り場での作業を最小限にすることができる。
【００８９】
実施の形態４．
上記の各実施の形態では、プライスカード１０２に価格変更情報が記載させる場合を例にしたが、プライスカード１０２に価格変更情報以外の商品に関する情報（付加情報）も記載させるようにしてもよい。
【００９０】
プライスカード１０２に付加情報も記載させる本発明の第４の実施の形態について説明する。本発明の第４の実施の形態の構成は、第２の実施の形態と同様なため説明を省略する。
【００９１】
書込端末１２３の記憶部３８は、プライスカード１０２に付随する記憶手段が記憶している情報に対応づけて、入力部３０に入力された在庫数を記憶する。具体的には、小売店舗の売り場の担当者が、一の商品のプライスカード１０２に付随する記憶手段が記憶している情報を、書込端末１２３の読み取り部３５に読み取らせ、一の商品の在庫数を入力部３０に入力すると、制御部３１は、読み取り部３５が読み取ったプライスカード１０２に付随する記憶手段が記憶している情報と、入力部３０に入力された在庫数とを対応づけて記憶部３８に記憶させる。
【００９２】
同様に、小売店舗の売り場の担当者が、一の商品に類似する商品のプライスカード１０２に付随する記憶手段が記憶している情報を、書込端末１２３の読み取り部３５に読み取らせ、一の商品に類似する商品の在庫数を入力部３０に入力すると、制御部３１は、読み取り部３５が読み取ったプライスカード１０２に付随する記憶手段が記憶している情報と、入力部３０に入力された在庫数とを対応づけて記憶部３８に記憶させる。
【００９３】
そして、小売店舗の売り場の担当者が、所定の時間（例えば、１週間）経過後、一の商品のプライスカード１０２に付随する記憶手段、および一の商品に類似する商品のプライスカード１０２に付随する記憶手段が記憶している情報を、書込端末１２３の読み取り部３５に読み取らせ、一の商品、および一の商品に類似する商品の在庫数を入力部３０に入力すると、制御部３１は、読み取り部３５が読み取ったプライスカード１０２に付随する記憶手段が記憶している情報と、入力部３０に入力された在庫数とを対応づけて記憶部３８に記憶させる。
【００９４】
書込端末１２３の制御部３１は、所定の時間経過前の在庫数と、所定の時間経過後の在庫数との差をそれぞれの商品ごとに算出する。そして、例えば、所定の時間経過前の在庫数と、所定の時間経過後の在庫数との差が最も大きい商品を、最も売れている商品であると判断し、その商品のプライスカードの表面に、その商品の商品名、商品の価格とともに、例えば、「売れ筋Ｎｏ．１」等といった付加情報としての販売促進用のメッセージや、商品案内のメッセージ等を印字部３３に印字させる。図１６は、販売促進用のメッセージをプライスカード１０２の表面に印字した例を示す図である。なお、付加情報を商品価格表示手段（この例では印字部３３）に記載させるメッセージ記載制御部は、制御部３１で実現されている。
【００９５】
また、例えば、所定の時間経過前の在庫数と、所定の時間経過後の在庫数との差が２番目に大きい商品を、２番目に売れている商品であると判断し、プライスカードの表面に、その商品の商品名、商品の価格とともに、例えば、「売れ筋Ｎｏ．２」等といった販売促進用のメッセージや、商品案内のメッセージ等を印字部３３に印字させてもよい。印字部３３は、制御部３１が算出した所定の時間経過前の在庫数と、所定の時間経過後の在庫数との差に応じたメッセージ等をプライスカードの表面に印字してもよい。
【００９６】
なお、書込端末１２３の印字部３３は、入力部３０に入力された数字や記号、文字列等を、プライスカード１０２の表面に印字してもよい。
【００９７】
以上に述べたように、この実施の形態によれば、売り場で簡単な作業を行うだけで、販売促進用のメッセージ等をプライスカードの表面に印字することができる。
【００９８】
また、書込端末１２３において、読み取り部３５がプライスカード１０２に付随する記憶手段が記憶している情報を読み取ってから、印字部３３がプライスカードの表面に文字を印字するため、誤った商品のプライスカードに販売促進用のメッセージ等を印字することを防ぐことができる。
【００９９】
なお、商品の売れ行きを示す販売促進用のメッセージに限らず、プライスカードに付随している記憶手段に入荷時刻を記憶させる等によって、商品の鮮度を示す情報などの他の販売促進用のメッセージをプライスカードの表面に印字するように構成することもできる。さらには、販売促進用のメッセージを表示するための情報に限らず、商品に関する他の情報をプライスカードに付随している記憶手段に記憶させるようにしてもよい。
【０１００】
また、この実施の形態を、第１の実施の形態や、第３の実施の形態と組み合わせて実施してもよい。このとき、書込端末１０３は、記憶部３８を有するものとする。
【０１０１】
また、上記の各実施の形態では、プライスカード１０２に割引率が印字され、プライスカード１０２に付随するＲＦＩＤタグ等に割引率を示す情報が記憶される場合を例にしたが、プライスカード１０２に表示される価格そのもの、およびＲＦＩＤタグ等に記憶されている価格そのものを変更するようにしてもよい。すなわち、価格変更情報は、割引率や割引額を示す情報であってもよいし、変更後の商品の価格を示す情報であってもよい。
【０１０２】
さらに、価格変更情報が変更後の商品の価格を示す情報である場合には、プライスカード１０２に価格変更情報が書き込まれたときに、書込端末１０３，１２３が価格変更情報を商品価格データベースの内容を価格変更情報が示す価格に変更する制御を行ったり、商品管理サーバ１２６，１３６が、商品価格データベースの内容を価格変更情報が示す価格に変更する制御を行うようにしてもよい。
【０１０３】
また、上記の各実施の形態では、商品の価格そのものを値引く場合を例にしたが、本発明を、商品の価格に応じて顧客にポイントを付与する場合等にも適用することができる。例えば、プライスカード１０２に通常よりも多い付与ポイント数を印字するとともに、ＰＯＳ精算処理装置１０４が、ＪＡＮコード等の商品特定情報と対応づけて、プライスカード１０２に印字されているポイント数を記憶するように構成してもよい。
【産業上の利用可能性】
【０１０４】
本発明は、スーパーマーケットや、電気店等の小売店舗で、プライスカード１０２に付随する記憶手段が記憶している情報にもとづいて、柔軟に価格等の商品の情報を変更したり、販売促進用のメッセージをプライスカードに印字したりするシステムに適用することができる。
【図面の簡単な説明】
【０１０５】
【図１】本発明の第１の実施の形態の一構成例を示す説明図である。
【図２】プライスカードの一例を示す説明図である。
【図３】プライスカードに付随する記憶手段が記憶している内容を示す説明図である。
【図４】プライスカードに付随する記憶手段が記憶している内容の具体例を示す図である。
【図５】第１の実施の形態における書込端末の一構成例を示すブロック図である。
【図６】第１の実施の形態における書込端末の動作を示すフローチャートである。
【図７】第１の実施の形態におけるＰＯＳ精算処理装置の動作を示すフローチャートである。
【図８】プライスカードに付随する記憶手段が記憶した情報の具体例を示す図である。
【図９】印字部がプライスカードの表面に印字した例を示す図である。
【図１０】本発明の第２の実施の形態の一構成例を示す説明図である。
【図１１】第２の実施の形態における書込端末の一構成例を示すブロック図である。
【図１２】第２の実施の形態における商品管理サーバおよび書込端末の動作を示すフローチャートである。
【図１３】第２の実施の形態におけるＰＯＳ精算処理装置の動作を示すフローチャートである。
【図１４】本発明の第３の実施の形態の一構成例を示す説明図である。
【図１５】第３の実施の形態における商品管理サーバおよび書込端末の動作を示すフローチャートである。
【図１６】販売促進用のメッセージをプライスカードの表面に印字した例を示す説明図である。
【符号の説明】
【０１０６】
３０  入力部
３１  制御部
３２  書き込み部
３３  印字部
３４  無線ＬＡＮ通信部
３５  読み取り部
３６  表示部
３７  近距離データ通信部
３８  記憶部
１０１  商品陳列棚
１０２  プライスカード
１０３、１２３  書込端末
１０４  ＰＯＳ精算処理装置
１０５、１２５  通信ネットワーク
１２６、１３６  商品管理サーバ
【図１】
2006139508.tif 000003
【図２】
2006139508.tif 000004
【図３】
2006139508.tif 000005
【図４】
2006139508.tif 000006
【図５】
2006139508.tif 000007
【図６】
2006139508.tif 000008
【図７】
2006139508.tif 000009
【図８】
2006139508.tif 000010
【図９】
2006139508.tif 000011
【図１０】
2006139508.tif 000012
【図１１】
2006139508.tif 000013
【図１２】
2006139508.tif 000014
【図１３】
2006139508.tif 000015
【図１４】
2006139508.tif 000016
【図１５】
2006139508.tif 000017
【図１６】
2006139508.tif 000018